(57)【要約】【課題】結合された上ケースと下ケースの側面で発生する部品割線を外観上視認し難くした結合・分解が容易なケース構造及びそのケース構造を備えた操作パネル並びにその操作パネルを備えた電子機器を提供すること。【解決手段】下ケース１２の両側縁部１２ａ、１２ｂもしくは上ケース１１の両側縁部に上ケース１１と前記下ケースとの間で生じる部品割線１４を覆うリブ１７ａ、１７ｂを一体成形する。これにより、結合された上ケースと下ケースの側面で発生する部品割線を外観上視認し難くすることができるので、外観デザイン性を向上させることができる。【選択図】図４
2008046431.tif 000002
【特許請求の範囲】
【請求項１】
上ケースと下ケースを備えたケース構造であって、
前記上ケースもしくは前記下ケースの両側縁部に、前記上ケースと前記下ケースとの間で生じる部品割線を覆うリブを一体成形したことを特徴とするケース構造。
【請求項２】
前記上ケースもしくは前記下ケースを前記リブに沿ってスライドさせて係止する係止爪を前記上ケースもしくは前記下ケースに設け、前記係止爪を係止する係止爪受け部を前記下ケースもしくは前記上ケースに設けたことを特徴とする請求項１に記載のケース構造。
【請求項３】
前記係止爪及び前記係止爪受け部は、前記スライドの方向における前記上ケースの前後の縁部近傍及び前記下ケースの前後の縁部近傍にそれぞれ設けられていることを特徴とする請求項２に記載のケース構造。
【請求項４】
少なくとも一方の前記係止爪受け部は、前記下ケースもしくは前記上ケースの縁部に溝状に設けられていることを特徴とする請求項２又は３に記載のケース構造。
【請求項５】
前記上ケースは、前記下ケースの裏側から締結固定されていることを特徴とする請求項１〜４の何れか一項に記載のケース構造。
【請求項６】
請求項１〜５の何れか一項に記載のケース構造に内蔵された表示手段を備えたことを特徴とする操作パネル。
【請求項７】
請求項６に記載のケース構造は、回動自在に取り付けられていることを特徴とする操作パネル。
【請求項８】
請求項６又は７に記載の操作パネルを備えたことを特徴とする電子機器。
【発明の詳細な説明】
【技術分野】
【０００１】
本発明は、上ケースと下ケースを備えたケース構造及びそのケース構造を備えた操作パネル並びにその操作パネルを備えた電子機器に関する。
【背景技術】
【０００２】
操作パネルに対し液晶ディスプレイを起立・収納自在として視認性及び操作性を高めた電子機器が普及している。この液晶ディスプレイは、ハウジング（ケース）に内蔵され、当該ケースが、操作パネルに回動自在に取り付けられている。このケースは、表示画面を露出させる表示窓が穿設された上ケースと、回動軸が突設された下ケースとに２分割された構造となっている。このようなケース構造において、下ケースに液晶ディスプレイが収納され、その下ケースに上ケースが被せられ、下ケースの側面頂部と上ケースの側面頂部が結合されてユニット化される。そして、その液晶表示ユニットの回動軸が、操作パネルの軸受けに取り付けられることにより、液晶表示ユニットは、操作パネルに対し起立・収納自在となる（特許文献１参照）。
【０００３】
【特許文献１】特開２００５−８４４８８号公報
【発明の開示】
【発明が解決しようとする課題】
【０００４】
上述したケース構造は、上ケースの側面頂部と下ケースの側面頂部を結合させるため、ケース側面において部品割線が発生する。そして、このケース構造は、操作パネルに対して回動して起立するため、ケース側面が露出して部品割線が外観上視認し易くなり、外観デザイン性を低下させる要因となっている。また、上ケースと下ケースは通常は撓みを利用したスナップフィットにより結合されるが、上ケースと下ケースを分解するときは、スナップフィットの爪を撓ませて外す必要があり、分解作業に手間が掛かっている。
【０００５】
本発明は、上記のような課題に鑑みなされたものであり、その目的は、結合された上ケースと下ケースの側面で発生する部品割線を外観上視認し難くした結合・分解が容易なケース構造及びそのケース構造を備えた操作パネル並びにその操作パネルを備えた電子機器を提供することにある。
【課題を解決するための手段】
【０００６】
上記目的達成のため、本発明のケース構造では、上ケースと下ケースを備えたケース構造であって、前記上ケースもしくは前記下ケースの両側縁部に、前記上ケースと前記下ケースとの間で生じる部品割線を覆うリブを一体成形したことを特徴としている。これにより、結合された上ケースと下ケースの側面で発生する部品割線を外観上視認し難くすることができるので、外観デザイン性を向上させることができる。
【０００７】
また、前記上ケースもしくは前記下ケースを前記リブに沿ってスライドさせて係止する係止爪を前記上ケースもしくは前記下ケースに設け、前記係止爪を係止する係止爪受け部を前記下ケースもしくは前記上ケースに設けたことを特徴としている。これにより、上ケースもしくは下ケースをスライドさせるのみで係止爪を係止爪受け部に対し容易に係止・係止解除することができ、またリブが上ケースもしくは下ケースのスライドのガイドとして機能するので、上ケースと下ケースとの結合・分解作業が容易となる。
【０００８】
また、前記係止爪及び前記係止爪受け部は、前記スライドの方向における前記上ケースの前後の縁部近傍及び前記下ケースの前後の縁部近傍にそれぞれ設けられていることを特徴としている。これにより、上ケースもしくは下ケースを下ケースもしくは上ケースの両側のリブに沿ってスムーズにスライドさせて係止爪を係止爪受け部に対し係止することができる。
【０００９】
また、少なくとも一方の前記係止爪受け部は、前記下ケースもしくは前記上ケースの縁部に溝状に設けられていることを特徴としている。これにより、係止爪受け部を簡易な構造としてコストを抑えることができる。また、前記上ケースは、前記下ケースの裏側から締結固定されていることを特徴としている。これにより、締結部分を外観上視認し難くすることができるので、外観デザイン性を向上させることができる。
【００１０】
上記目的達成のため、本発明の操作パネルでは、上記各ケース構造に内蔵された表示手段を備えたことを特徴としている。これにより、上記各作用効果を奏する操作パネルを提供することが可能である。また、このケース構造は、回動自在に取り付けられていることを特徴としている。ケース構造が回動する場合、従来は結合された上ケースと下ケースの側面で発生する部品割線が露出することになるが、本発明では上記部品割線が露出することは無く、外観デザイン性を向上させることができる。上記目的達成のため、本発明の電子機器は、上記操作パネルを備えたことを特徴としている。これにより、上記各作用効果を奏する電子機器を提供することが可能である。
【発明を実施するための最良の形態】
【００１１】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１２】
図１は、本発明の一実施の形態に係るケース構造を備えた電子機器である記録装置の外観構成の全体を示す斜視図である。この記録装置はプリンタ、コピー及びスキャナの機能を有するインクジェット式複合機１００である。このインクジェット式複合機１００は、図１に示すように、全体が略直方体状のハウジング１０１で覆われている。そして、ハウジング１０１の上面における前面側には本発明の特徴的な部分を含む操作部１１０が配設され、前面における図示左側にはメモリカードスロット部１２０が配設され、前面における図示右側にはディスクスロット部１３０が配設されている。更に、ハウジング１０１の上面における背面側には給紙部１４０が配設され、前面側には排紙部１５０が配設され、上面にはスキャナ１６０が配設されている。
【００１３】
操作部１１０は、略矩形状の操作パネル１１１を備え、この操作パネル１１１の略中央部に操作状態等を表示するユニット化された液晶ディスプレイ１１２が本実施形態のケース構造１０（図２参照）に内蔵されて装着されている。尚、このケース構造１０の詳細については後述する。そして、液晶ディスプレイ１１２の両側には、パワーをオン・オフするパワー系、用紙の頭出し等を操作したりインクのフラッシング等を操作する操作系、画像処理等を行う処理系等の複数のボタン１１３が配設されている。ユーザは、液晶ディスプレイ１１２を見て確認しながら各種のボタン１１３を操作することができるので、誤操作を防止することができる。
【００１４】
メモリカードスロット部１２０は、図示矢印ａ方向に開閉自在なカバー１２１で覆われている。このメモリカードスロット部１２０は、複数スロット形成され、複数種類のメモリカードに対応可能に構成されている。ユーザは、インクジェット式複合機１００をパーソナルコンピュータに接続しなくても、インクジェット式複合機１００単独の状態でメモリカードスロット部１２０にメモリカードを差し込むのみで、メモリカードに格納されている画像等を記録することができる。
【００１５】
ディスクスロット部１３０は、図１に示すように、ＣＤ−Ｒ（Ｃｏｍｐａｃｔ  Ｄｉｓｋ−Ｒｅｃｏｒｄａｂｌｅ）等の読み書き可能なディスクやＤＶＤ−ＲＯＭ（Ｄｉｇｉｔａｌ  Ｖｅｒｓａｔｉｌｅ  Ｄｉｓｋ−Ｒｅａｄ  Ｏｎｌｙ  Ｍｅｍｏｒｙ）等の読み出し可能なディスクに対応可能に構成されている。ユーザは、インクジェット式複合機１００をパーソナルコンピュータに接続しなくても、インクジェット式複合機１００単独の状態でディスクスロット部１３０にディスクを差し込むのみで、ディスクに書き込まれている画像等を記録し、若しくはメモリカードに書き込まれている画像等をディスクに転送して書き込むことができる。
【００１６】
給紙部１４０は、上方に向かって矩形状に開口した給紙口１４１に伸縮自在に設けられ、給紙する用紙を１枚もしくは複数枚サポートする機能を有する多段のペーパーサポート１４２を備えている。ユーザは、インクジェット式複合機１００を使用するときは、ペーパーサポート１４２の先端に指を掛けてペーパーサポート１４２を伸張することができるので、用紙のセッティングを容易に行うことができる。また、インクジェット式複合機１００を不使用のときは、ペーパーサポート１４２の先端を指で押して収縮させることができるので、ペーパーサポート１４２をコンパクトに収納することができる。
【００１７】
排紙部１５０は、前方に向かって矩形状に開口した排紙口１５１を開閉する機能と、排紙される用紙を１枚もしくは複数枚スタックする機能を併せ持ったスタッカ１５２を備えている。このスタッカ１５２は、下端の回転軸を中心に図示矢印ｂ方向に回動可能に取り付けられている。ユーザは、インクジェット式複合機１００を使用又は不使用のときは、スタッカ１５２の上部に指を掛けてスタッカ１５２を開閉することができるので、セッティングを容易に行うことができ、また排紙口１５１内への埃の侵入を防止することができる。更に、記録後の用紙は常に前面側から排紙されるので、ユーザは用紙を容易に取り出すことができる。次に、本発明の特徴的な部分であるケース構造１０について、更に図を参照して説明する。
【００１８】
図２は、上記ケース構造１０に内蔵されたユニット化された液晶ディスプレイ１１２を斜め上方から見た分解斜視図、図３は、それを斜め下方から見た分解斜視図である。このケース構造１０は、上ケース１１と下ケース１２を備えている。上ケース１１は、略平板状に形成されており、略中央に液晶ディスプレイ１１２の表示画面１１２ａを露出させる表示窓１１ａが穿設されている。そして、この上ケース１１の上面には、露出している液晶ディスプレイ１１２の表示画面１１２ａを保護するカバー１３が、例えば両面接着テープ若しくは接着剤等により取り付けられる。
【００１９】
下ケース１２は、上面が開放された箱状に形成されており、両側面１２ａ、１２ｂの一端側には、両側面１２ａ、１２ｂに対し垂直に突出した円筒状の回動軸１２ｃ、１２ｄが設けられている。そして、下ケース１２の内部にユニット化された液晶ディスプレイ１１２が収納され、上面にカバー１３が取り付けられた上ケース１１が結合される。このカバー１３が取り付けられた上ケース１１は、下面の周縁部が下ケース１２の両側面１２ａ、１２ｂ及び両側面１２ａ、１２ｂに挟まれた２つの側面（以下、回動軸１２ｃ、１２ｄに近い側面を前側面１２ｅといい、前側面１２ｅに対向する側面を後側面１２ｆという）の各頂部（各側縁部）と当接して結合される。そして、当該上ケース１１は、下ケース１２の裏側からネジ１６により締結固定される。これにより、ネジ１６の締結部分を外観上視認し難くすることができるので、外観デザイン性を向上させることができる。
【００２０】
液晶ディスプレイ１１２は、表示画面１１２ａが矩形板状に形成されたパネル枠１１２ｂと一体化され、このパネル枠１１２ｂの裏面に電子部品が実装されたパネル用基板１１２ｃが貼付されている。そして、当該パネル枠１１２ｂが、金属製のパネルフレーム１１２ｄに嵌め込まれる。このパネルフレーム１１２ｄは、前面における表示画面１１２ａを露出させる部分及び背面の全部が開放された箱状に形成されている。以上のように、液晶ディスプレイ１１２はユニット化されている。
【００２１】
図４は、上記ケース構造１０を示す斜視図及びそのＡ面断面図、図５（Ａ）〜（Ｃ）は、上記ケース構造１０の分解斜視図である。図４のＡ面断面図に示すように、上ケース１１と下ケース１２との当接部及びカバー１３と上ケース１１との接触部には、部品割線１４、１５が発生することになる。そこで、図４のＡ面断面図及び図５（Ｃ）に示すように、この下ケース１２の両側面１２ａ、１２ｂの頂部（両側縁部）における外側部分、即ち上ケース１１と下ケース１２との当接部よりも外側部分を延長して上記部品割線１４、１５を覆うリブ１７ａ、１７ｂが一体成形されている。これにより、結合された上ケース１１と下ケース１２の側面１２ａ、１２ｂで発生する部品割線１４、１５を外観上視認し難くすることができるので、外観デザイン性を向上させることができる。
【００２２】
また、図５（Ａ）、（Ｂ）に示すように、上ケース１１は、下ケース１２に結合したときの前側面１２ｅに対応する側の下面における中央とその両側に、３つの略Ｌ字状の係止爪１８ａ、１８ｂ、１８ｃが突設されている。更に、上ケース１１は、下ケース１２に結合したときの後側面１２ｆに対応する側の下面に、後側面１２ｆに平行な静電気防止のための側壁１８ｇが突設され、その側壁１８ｇおける中央とその両側に、３つのレール状の係止爪１８ｄ、１８ｅ、１８ｆが突設されている。一方、図５（Ｃ）に示すように、下ケース１２は、前側面１２ｅの内面中央と両側面１２ａ、１２ｂの内面における前側面１２ｅ側に、上ケース１１の係止爪１８ａ、１８ｂ、１８ｃが係止可能な係止爪受け部１９ａ、１９ｂ、１９ｃが突設されている。係止爪受け部１９ａは、穴を有する平板状に形成され、係止爪受け部１９ｂ、１９ｃは、逆Ｌ字柱状に形成されている。更に、下ケース１２は、後側面１２ｆの内面中央とその両側に、上ケース１１の係止爪１８ｄ、１８ｅ、１８ｆが係止可能な溝状の係止爪受け部１９ｄ、１９ｅ、１９ｆが設けられている。これにより、上ケース１１を下ケース１２に対してスライドさせて係止爪１８ａ、１８ｂ、１８ｃ、１８ｄ、１８ｅ、１８ｆを係止爪受け部１９ａ、１９ｂ、１９ｃ、１９ｄ、１９ｅ、１９ｆに係止・係止解除させるのみで、上ケース１１と下ケース１２を容易に結合・分解することができる。
【００２３】
図６は、上ケース１１と下ケース１２を結合する状態を示す斜視図である。下ケース１２の開放上面に対し上ケース１１を伏せた状態で、下ケース１２の前側面１２ｅ方向に上ケース１１を少しずらしてリブ１７ａ、１７ｂ間に被せる。そして、上ケース１１を下ケース１２の後側面１２ｆ方向にスライドさせ、上ケース１１の係止爪１８ａ、１８ｂ、１８ｃ、１８ｄ、１８ｅ、１８ｆを下ケース１２の係止爪受け部１９ａ、１９ｂ、１９ｃ、１９ｄ、１９ｅ、１９ｆに係止させる。このとき、上ケース１１の両側面１１ｂ、１１ｃが下ケース１２のリブ１７ａ、１７ｂに沿って案内されるので、上ケース１１を下ケース１２に対しスムーズにスライドさせて係止爪１８ａ、１８ｂ、１８ｃ、１８ｄ、１８ｅ、１８ｆを係止爪受け部１９ａ、１９ｂ、１９ｃ、１９ｄ、１９ｅ、１９ｆに係止することができ、上ケース１１と下ケース１２の結合作業を容易に行うことができる。尚、上ケース１１と下ケース１２の分解作業も容易に行うことができる。
【００２４】
尚、上述した実施形態では、下ケース１２の両側面１２ａ、１２ｂに部品割線１４、１５を覆うリブ１７ａ、１７ｂを設けたが、下ケース１２の後側面１２ｆにも部品割線１４を覆うリブを設けるようにしても良い。また、上ケース１１の係止爪１８ａ、１８ｂ、１８ｃ、１８ｄ、１８ｅ、１８ｆと下ケース１２の係止爪受け部１９ａ、１９ｂ、１９ｃ、１９ｄ、１９ｅ、１９ｆはそれぞれ６個設けたが、個数については任意で良い。また、上ケース１１にリブ１７ａ、１７ｂと係止爪受け部１９ａ、１９ｂ、１９ｃ、１９ｄ、１９ｅ、１９ｆを設け、下ケース１２に係止爪１８ａ、１８ｂ、１８ｃ、１８ｄ、１８ｅ、１８ｆを設けて、上ケース１１に対して下ケース１２をスライドさせるようにしても良い。
【産業上の利用可能性】
【００２５】
液晶ディスプレイを内蔵するケース構造に限定されるものでは無く、部品割線が発生するケース構造に対して適用可能である。また、ケース構造を有する操作パネルを備えた電子機器であれば、例えばファクシミリ装置、コピー装置、スキャナ等の記録装置を含む一般的な電子機器であっても適用可能である。
【図面の簡単な説明】
【００２６】
【図１】本発明の一実施の形態に係るケース構造を備えた電子機器である記録装置の外観構成の全体を示す斜視図である。
【図２】図１のケース構造に内蔵されたユニット化された液晶ディスプレイを斜め上方から見た分解斜視図である。
【図３】図１のケース構造に内蔵されたユニット化された液晶ディスプレイを斜め下方から見た分解斜視図である。
【図４】図２のケース構造を示す斜視図及びそのＡ面断面図である。
【図５】図４のケース構造の分解斜視図である。
【図６】図５の上ケースと下ケースを結合する状態を示す斜視図である。
【符号の説明】
【００２７】
１０  ケース構造、１１  上ケース１１  下ケース、１３  カバー、１４、１５  部品割線、１６  ネジ、１７ａ、１７ｂ  リブ、１８ａ、１８ｂ、１８ｃ、１８ｄ、１８ｅ、１８ｆ  係止爪、１９ａ、１９ｂ、１９ｃ、１９ｄ、１９ｅ、１９ｆ  係止爪受け部、１００  インクジェット式複合機、１０１  ハウジング、１１０  操作部、１１１  操作パネル、１１２  液晶ディスプレイ、１２０  メモリカードスロット部、１３０  ディスクスロット部、１４０  給紙部、１５０  排紙部
【図１】
2008046431.tif 000003
【図２】
2008046431.tif 000004
【図３】
2008046431.tif 000005
【図４】
2008046431.tif 000006
【図５】
2008046431.tif 000007
【図６】
2008046431.tif 000008